(57)【特許請求の範囲】
【請求項１】
前身頃（２）、後身頃（３）、両袖（４）、襟（５）および襟台（６）によって構成されるシャツ（１）であって、
前記襟台（６）の高さが３ｃｍ〜４ｃｍであり、前記襟台（６）が前記後身頃（３）の中心部から前記前身頃（２）に向けて先細り形状であり、
前記前身頃（２）の前立て部分に配置されてなる第一ボタンが、前記前身頃（２）の最上端部から下方向に４．５ｃｍ〜５ｃｍの位置に配置されてなり、
前記襟（５）の付け根から前記襟先先端部までの長さが９ｃｍ〜１０ｃｍであり、
前記後身頃（３）の脇下部分に通気のための脇下開口部（Ｇ）が設けられ、
前記脇下開口部（Ｇ）の開口縁（３０）に、開口状態を常時保持するための開口状態保持手段が配置され、これにより前記脇下開口部（Ｇ）から首への通気（２０）の促進が図られ、
前記開口状態保持手段が、前記開口縁（３０）の裾の折り込み部分に導入された芯部材からなり、
前記芯部材によって、前記開口縁（３０）の開口状態が常時維持されて、これにより前記脇下開口部（Ｇ）から通気流がシャツ内部に導入されるとともに、前記脇下開口部（Ｇ）に携帯送風装置からの送風ホースを導通させることができるようにしたことを特徴とする、シャツ。
【請求項２】
前記脇下開口部の開口縁（３０）に、前記芯部材と共に、携帯送風装置からのエアーをシャツ内部に導入するためのエアー導入保持手段が設けられてなる、請求項１に記載のシャツ。
【請求項３】
前記エアー導入保持手段が、携帯送風装置からの送風ホースを支持するための送風ホース支持部材（３１）からなる、請求項２に記載のシャツ。
【請求項４】
後身頃（３）の背中部分のいずれかの位置に、通気のための背中開口部（１１）を設けた、請求項１〜３のいずれか一項に記載のシャツ。
【請求項５】
肩部に肩章を設け、胸部にフラップ付ポケットを設けた、請求項１〜４のいずれか一項に記載のシャツ。
【発明の詳細な説明】
【技術分野】
【０００１】
本発明は、シャツに分類される上半身体幹部に着用する衣服に関し、特に、ネクタイ非着用時であっても外観の公用性を保持することが可能な低襟（えり）台シャツに関するものである。本発明はさらに、そのような外観の公用性を保持しつつ、通気性を確保することにより暑さから身を守ることを可能にする低襟台シャツに関するものである。
【背景技術】
【０００２】
近年の異常気象の影響で熱中症の発症率が増加している。夏季において、特に屋外もしくは冷房装置のない場所において長時間にわたって制服で作業や業務に従事しなければならない従業者（たとえば警備、現場監督者）にとって、体温の上昇を少しでも低減し可能な限り熱さから身を守ることは、熱中症の予防のみならず、従業者の健康維持の観点からも極めて重要である。
【０００３】
従来、上記のような従業者が着用する公用のシャツは、暑さから身を守るという観点から見た場合、必ずしも十分配慮されているとは言い難いものであった。さらに、従来のシャツは、夏季のクールビズ等でネクタイを着用していない場合に、首回りを囲む帯状の襟台が固定されないため襟部分が立たずに外観がだらしなくなり、ビジネスの場面において要求される公用性に立脚した外観に則しないという問題もあった。
【０００４】
従来提案されている暑さから身を守ることに配慮したシャツとしては、たとえば、シャツの特定の部分のみに通気性の良い素材を部分使用することによって外見的に従来の公用のシャツと同様の外観を確保したものがある（特許文献１）。
【先行技術文献】
【特許文献】
【０００５】
【特許文献１】実用新案登録第３１７８９８８号
【発明の概要】
【発明が解決しようとする課題】
【０００６】
本発明は、上述した従来の、特に業務用（公用）のシャツにおける問題を解決することに向けられたものであり、クールビズ等でのネクタイ非着用時であっても、襟部分が立つことによりだらしなくなることなく外観の公用性を保持することが可能な低襟台シャツを提供することを目的としている。本発明は、さらに、そのようなビジネスの場面に適した外観を保持しつつ、夏季の屋外等の過酷な環境下においても良好な通気性が確保され、熱中症対策のみならず健康保持においても優れた効果を奏する通気性を備えた低襟台シャツを提供することを目的としている。
【課題を解決するための手段】
【０００７】
本発明による低襟台シャツは、前身頃（まえみごろ）、後身頃（うしろみごろ）、両袖、襟および襟台によって構成されるシャツであって、該襟台を相対的に低くし、該襟部分を相対的に小さくし、該襟先をボタンダウン形態にすることにより、ネクタイ非着用時であっても該襟台および襟部分からなるシャツの首部分が立ち、着用時にだらしなくならずに外観の公用性が保持されることを特徴とするものである。また、本発明による低襟台シャツは、前記襟台が低いことにより首元へ抜ける通気性を一層促進することができるため、着用時の暑さを軽減することができるという効果を有する。
【０００８】
本発明による低襟台シャツは、さらに、前記前身頃の前立て部分に配置されてなる第一ボタンの位置を、前記襟台よりも下げることにより、首元を閉めなくてもだらしなくなることなく、外観の公用性を保持しつつ、通気性が確保されることを特徴とするものである。一般の公用のシャツにおいては第一ボタンが襟台部分に配置されており、首元を開けると第二ボタンの位置まで開き、だらしなくなってしまうという問題がある。本発明による低襟台シャツは、第一ボタンを閉めた状態でも首元の通気性が確保されており、かつ、一般の公用のシャツの第一ボタンを開けたときよりも首元が大きく開かないことから、外観の向上と通気性の向上とを両立することができるものである。
【０００９】
本発明による低襟台シャツは、上半身体幹部に着用するいわゆるシャツ類であって、男性用と女性用との双方を包含する。
【００１０】
また、本発明の好ましい態様においては、前記後身頃の脇下部分に通気のための脇下開口部を設けたことを特徴とするものである。
【００１１】
さらに、本発明の好ましい態様においては、前記脇下開口部の開口縁に、開口状態を常時保持するための開口状態保持手段を配置し、これによって通気のさらなる促進を図ることができる。
【００１２】
さらに、本発明においては、前記開口保持手段が、前記開口縁の裾の折り込み部分に導入された芯部材からなることができ、さらには、前記開口保持手段が、前記開口縁に取り付けられた突起部材からなることもできる。
【００１３】
また、本発明の好ましい態様においては、前記脇下開口部の開口縁に、携帯送風装置からのエアーをシャツ内部に導入するためのエアー導入保持手段が設けられていてもよく、該エアー導入保持手段が、携帯送風装置からの送風ホースを支持するためのホース支持部材であってもよい。
【００１４】
さらに、本発明の他の好ましい態様においては、後身頃の背中部分のいずれかの位置に、通気のための背中開口部をさらに設けることもできる。
【発明の効果】
【００１５】
本発明による低襟台シャツによれば、従来のシャツの構成・デザインを大幅に変更することなく、比較的簡易な構造により、ネクタイ非着用時の良好な外観を確保しつつ効果的な通気性を確保することができることから、シャツのデザインの公用性を保持しつつ、良好な通気特性を発現させることができるという優れた効果を奏する。さらに、本発明によるシャツにより、ネクタイを装着するという煩わしさから解放される。また、このようにデザイン性と機能性とを兼ね備えることによって、消費者の購買意欲を促進し、経済的・商業的に優れた効果を発揮することが可能である。
【図面の簡単な説明】
【００１６】
【図１】本発明による低襟台シャツの正面図。
【図２】本発明による低襟台シャツの背面図。
【図３】本発明による低襟台シャツの別の態様の正面図。
【図４】本発明による低襟台シャツの首部分の各構成要素の展開図および寸法表であって、（ａ）は襟の展開図であり（ｂ）は襟台の展開図であり（ｃ）は好ましい一態様における各部分の寸法を表す。
【図５】本発明による低襟台シャツの脇下開口部Ｇの部分拡大図。
【発明を実施するための形態】
【００１７】
以下、図面を参照して本発明の好ましい実施形態について説明する。なお、本件明細書に添付する図面においては、図示と理解のしやすさの便宜上、適宜縮尺および縦横の寸法比等は変更されており、実物のそれらと必ずしも正確に一致するものではない。
【００１８】
図１は、本発明による低襟台シャツの正面図であり、図２は、その背面図である。また、図３は、本発明による低襟台シャツの別の態様の正面図である。図４は、本発明による低襟台シャツの首部分の各構成要素の展開図および好ましい一態様における寸法を示す表であり、図５は、本発明による低襟台シャツの脇下開口部Ｇの部分拡大図である。
【００１９】
図１によると、本発明の低襟台シャツの好ましい実施形態において、前身頃と前立てによって正面が形成され、後身頃ならびに肩ヨークによって背面が構成される。正面の前立てはボタンによって固定される。また、前身頃には必要に応じてポケットが配置される。両方の袖は図示のような長袖に限定されず、半袖であってもよい。また、本発明による低襟台シャツの首部分の構成は、襟と襟台からなる。該襟台は低く、該襟部分は小さく、かつ、該襟先はボタンダウンの形態である。前記襟台が低いこと、前記襟部分が小さく、かつ、前記襟先がボタンダウンの形態であることにより、ネクタイの非着用時においても襟台が倒れることなく襟が立ち、着用時にだらしなくならずに外観の公用性を保つことが可能となる。さらに、前記前立てを固定するボタンのうち第一ボタンの位置を襟台よりも少し下げた位置に配置することを特徴とする形態とする。前記第一ボタンの位置を一般の公用シャツの第一ボタンの位置である襟台上よりも少し下げて配置することにより、通気性を確保しながら首元を閉めなくてもだらしなく見えない形状となっている。
【００２０】
また、本発明の低襟台シャツの他の好ましい実施形態において、図２に示すように、両袖に対向する後身頃の脇下部分に通気のための脇下開口部が設けられている。このような脇下開口部を設けることによって、開口部から通気流をシャツ内部に導入し、襟首部分から抜けるような通気性を確保することが可能となる。
【００２１】
さらに、本発明の低襟台シャツの別の好ましい実施形態において、図３に示すように、両肩部に肩章１３が設けられている。本発明によるシャツは、主に現場監督やガードマンが着用することを企図するものであるため、そのような肩章を付けることによって外観の公用性を向上することが可能である。また、必要に応じて、前身頃の胸部に、フラップ付ポケット１２ａおよび１２ｂを設けることもできる。ポケットを付することにより、シャツの実用性を向上することが可能である。
【００２２】
図４は、図１、２および３に示された本発明による低襟台シャツの首部分の各構成要素についての展開図および、好ましい一態様における寸法を示す表である。図４（ａ）は襟の展開図であり、図４（ｂ）は襟台の展開図であり、図４（ｃ）は本発明の低襟台シャツの好ましい一態様における各部分の寸法を示す表である。図４（ａ）および図４（ｂ）ともに、図の中心部が後ろ身頃の中心部に対応し、両側は前身頃の中心部に対応する。
【００２３】
本発明の低襟台シャツによると、襟台の高さ（図４（ｂ）中のＦ）は、３ｃｍ〜４ｃｍ、好ましくは３ｃｍ〜３．６ｃｍ、より好ましくは３ｃｍ〜３．３ｃｍ、最も好ましくは３ｃｍとすることができる。また、本発明の低襟台シャツによると、襟台の高さは後身頃の中心から左右両側の前身頃の中心へ向かって先細り形状となっていてもよい。後身頃の中心部から左右両側の前身頃の中心部へ向けて襟台を先細り形状とすることにより、首元の通気性を確保しつつ襟を効果的に立たせることができる。
【００２４】
本発明の低襟台シャツによると、襟の付け根から襟先の先端部までの長さ（図４（ａ）中のＣ）は、９ｃｍ〜１０ｃｍ、好ましくは９ｃｍ〜９．６ｃｍ、より好ましくは９ｃｍ〜９．３ｃｍ、最も好ましくは９ｃｍとすることができる。また、本発明の低襟台シャツによると、後身頃の中心部における襟の付け根から襟の先端部までの長さ（図４（ａ）中のＤ）は、４．５ｃｍ〜５ｃｍ、好ましくは４．５ｃｍ〜４．８ｃｍ、より好ましくは４．５ｃｍ〜４．６ｃｍ、最も好ましくは４．５ｃｍとすることができる。
【００２５】
本発明の低襟台シャツによると、前身頃の最上端部から第一ボタンまでの長さは４．５ｃｍ〜５．５ｃｍ、好ましくは４．８ｃｍ〜５．３ｃｍ、最も好ましくは５ｃｍとすることができる。該第一ボタンを襟台上に配置せず、すこし下げた位置に配置することにより、第一ボタンを開けなくても首元の通気性を確保することが可能である。さらに、従来のシャツにおいて通気性を確保するために第一ボタンを開けると、すなわち、第二ボタンの位置まで前立て部分が開くことになるのに対して、本願に係るシャツの場合は、従来のシャツの第二ボタンの位置よりも上に第一ボタンが配置されてなることから、首元の通気性は確保しながらも、外観がだらしなくなることなく公用性を保つことができる。
【００２６】
本発明の低襟台シャツによると、前から見た襟と襟との間の角度を、６０°〜６５°、好ましくは６０°〜６３°、最も好ましくは６０°とすることができる。この角度で襟部分を形成することにより、ネクタイを着用しなくても襟元がだらしなく広がることなく、襟部分が構造的に支えられて効果的に襟部分を立たせることができ、したがって外観の公用性を保つこともできる。
【００２７】
襟台の高さ、襟の大きさ、および襟と襟との間の角度を所定の値にすることにより、ネクタイ非着用時であっても襟および襟台からなる首部分が立つことができる。また、前身頃の最上端部から第一ボタンまでの長さを所定の値にすることにより、首元を閉めなくても開きすぎることなく、首元へ抜ける通気性を一層促進することを可能にしながら、外観の公用性を保つことができる。
【００２８】
これらのシャツの首元の特徴により、ネクタイを着用しなくても外観の公用性を保つことが可能でありながら、通気性も確保することができる。このことにより、夏季等の過酷な環境下においてもビジネスの場面に則した外観を維持することができ、また、それ以外の場面でもネクタイ装着の煩わしさを省くことができる。また、そのような良好な外観により、消費者の購買意欲を促進し、経済的・商業的に優れた効果を発揮することが可能である。
【００２９】
図５は、図２に示された本発明による低襟台シャツの脇下開口部Ｇの部分拡大図であり、この好ましい態様においては、脇下開口部Ｇの開口縁３０が開口状態を常時保持するための開口状態保持手段３０を兼ねて配置されている。常時開口状態が保持されることから、通気のさらなる促進を図ることができる。
【００３０】
このような開口状態保持手段３０としては、開口縁の裾の折り込み部分に、比較的硬めの芯部材を入れて開口状態が維持されるように浮かせた構造にすることができる。このような芯部材としては、ナイロン織物、ナイロンとポリエチレンから構成される織物、ポリエステルとポリエチレンから構成される織物、ポリエステル織物、ポリエステルと綿から構成される織物、あるいはポリエチレン織物等が用いられ得る。合成繊維製の織物以外では、形状記憶性を有する金属材料を使用することもできる。
【００３１】
また、本発明の他の好ましい態様においては、開口縁３０に突起部材（図示せず）を取り付けて開口状態を保持する手段とすることもできる。
【００３２】
さらにまた、本発明の好ましい態様においては、脇下開口部Ｇの開口縁３０に、携帯送風装置（図示せず）からのエアーをシャツ内部に導入するためのエアー導入保持手段が設けられていてもよく、該エアー導入保持手段としては、携帯送風装置からの送風ホースを支持するための送風ホース支持部材３１であってもよい。
【００３３】
本発明においては、図２に示すように、後身頃の背中部分の所定の位置に、通気のための背中開口部１１をさらに設けることもできる。このような背中開口部１１を追加的に設けることによって、シャツの通気性は一層向上することが期待できる。
【００３４】
上記のような本発明の低襟台シャツによれば、従来のシャツの構成・デザインを大幅に変更することなく、比較的簡易な構造により、ネクタイ非着用時の良好な外観を確保しつつ首まわりを含むシャツの全体において効果的な通気性を確保することができることから、シャツのデザインの公用性を維持しつつ、良好な通気特性を発現させることができるという優れた効果を奏する。
【００３５】
さらに、本発明における上述した脇下開口部Ｇを設けた態様においては、シャツを着用した場合に特に熱気が蓄積しやすい脇下部分に設けられているので、身体の中で特に蒸れやすく、また汗が滲出しやすい脇部分に起因する従来の問題を効果的に解消することができる点でも優れている。本発明による低襟台シャツにおいては、第一ボタンの前立てよりも下に配置することにより、首元から該脇下開口部Ｇへの通気性が促進され、該低い位置に配置されてなる第一ボタンおよび該脇下開口部Ｇのいずれか一方のみを具備するシャツと比較して、該シャツ着用時の快適性が相乗的に向上するという優れた効果を発揮するものである。
【００３６】
特に、シャツ着用時に生じやすい脇汗はシャツの黄ばみの原因となるばかりでなく、臭いやワキガ（腋臭症）の原因ともなる。本発明による通気性シャツによれば、このような問題も予防することができる。
【符号の説明】
【００３７】
１  通気性シャツ
２  前身頃
３  後身頃
４  袖
５  襟
６  襟台
７  剣先
８  前立て
９  ボタン
１０  肩ヨーク
１１  背中開口部
１２  ポケット
１２ａ  フラップ付ポケット
１２ｂ  フラップ付ポケット
１３  肩章
２０  通気流
３０  開口縁（開口状態保持手段）
３１  送風ホース支持部材
Ａ  襟の水平方向最大長さ
Ｂ  襟の水平方向最小長さ
Ｃ  襟の付け根から襟先の先端部までの長さ
Ｄ  後身頃の中心部における襟の付け根から襟の先端部までの長さ
Ｅ  襟台の長さ
Ｆ  襟台の高さ
Ｇ  脇下開口部
【図１】
0006549010.tif 000002
【図２】
0006549010.tif 000003
【図３】
0006549010.tif 000004
【図４】
0006549010.tif 000005
【図５】
0006549010.tif 000006